(57)【要約】【課題】  被写体が表示されている等の所定の条件を満たす領域の輪郭を、ユーザが好適に確認することが可能な表示装置を提供することを目的とする。【解決手段】  本発明に係る表示装置１は、入力画像に基づく画像を表示する表示モジュール１０と、入力画像のうち所定の条件を満たす被写体領域を取得する被写体領域特定部１０２と、入力画像の被写体領域の近傍の周辺領域のうち、所定の表示輝度より明るく表示される高輝度領域が所定の表示輝度以下で表示されるように表示モジュール１０を制御する制御部１００と、を備えることを特徴とする。【選択図】  図２
2017219815.tif 000002
【特許請求の範囲】
【請求項１】
入力画像に基づく画像を表示する表示手段と、
前記入力画像のうち所定の条件を満たす被写体領域を特定する特定手段と、
前記入力画像の前記被写体領域の近傍の周辺領域のうち、所定の表示輝度より明るく表示される高輝度領域が前記所定の表示輝度以下で表示されるように前記表示手段を制御する制御手段と、
を備えることを特徴とする表示装置。
【請求項２】
前記特定手段は、前記入力画像の輪郭領域を検出し、前記輪郭領域に囲まれた領域を前記被写体領域と特定することを特徴とする請求項１に記載の表示装置。
【請求項３】
前記特定手段は、前記入力画像のうち、所定のオブジェクトが表示される領域を前記被写体領域と特定することを特徴とする請求項１または請求項２に記載の表示装置。
【請求項４】
前記所定のオブジェクトは、人の顔、もしくは人体の少なくとも一部を示すオブジェクトであることを特徴とする請求項３に記載の表示装置。
【請求項５】
前記周辺領域は、前記被写体領域からの距離が、所定の距離よりも短い領域であることを特徴とする請求項１乃至請求項４のいずれか１項に記載の表示装置。
【請求項６】
前記制御手段は、前記入力画像の前記周辺領域のうち所定の階調値より大きい階調値を有する画素の階調値を、前記所定の階調値以下にする補正を施した表示画像に基づいて、前記表示手段を制御することを特徴とする請求項１乃至請求項５のいずれか１項に記載の表示装置。
【請求項７】
前記制御手段は、前記入力画像の前記周辺領域のうち所定の階調値より大きい階調値を有する領域を前記高輝度領域と判定し、前記高輝度領域の階調値を前記所定の階調値以下にする補正を前記入力画像に施した表示画像に基づいて、前記表示手段を制御することを特徴とする請求項１乃至請求項５のいずれか１項に記載の表示装置。
【請求項８】
前記表示手段は、
個別に発光を制御可能な複数の発光ブロックを備える発光手段と、
前記発光手段の光を透過して画像を表示する表示パネルと、
を備え、
前記制御手段は、各発光ブロックに対応する前記入力画像の明るさに応じて、各発光ブロックの発光を制御することを特徴とする請求項１乃至請求項４のいずれか１項に記載の表示装置。
【請求項９】
各発光ブロックに対応する前記入力画像の領域の明るさに応じて、各発光ブロックの発光量を設定する設定手段と、
前記被写体領域に対応する対象発光ブロックの近傍の周辺発光ブロックのうち、前記設定手段に設定された発光量が所定の発光量より大きい補正ブロックの発光量を、前記所定の発光量以下に補正する補正手段と、
を備え、
前記制御手段は、前記補正手段が補正した各発光ブロックの発光量に基づいて、各発光ブロックの発光を制御することを特徴とする請求項８に記載の表示装置。
【請求項１０】
前記入力画像の前記被写体領域の輪郭領域を強調する処理を施す輪郭強調手段を更に有し、
前記制御手段は、前記輪郭強調手段が前記処理を施した前記入力画像に基づいて、前記表示手段を制御することを特徴とする請求項１乃至請求項９のいずれか１項に記載の表示装置。
【請求項１１】
入力画像に基づく画像を表示する表示手段を備える表示装置の制御方法であって、
前記入力画像のうち所定の条件を満たす被写体領域を特定する特定工程と、
前記入力画像の前記被写体領域の近傍の周辺領域のうち、所定の表示輝度より明るく表示される高輝度領域が前記所定の表示輝度以下で表示されるように前記表示手段を制御する制御工程と、
を備えることを特徴とする表示装置の制御方法。
【請求項１２】
前記特定工程は、前記入力画像の輪郭領域を検出し、前記輪郭領域に囲まれた領域を前記被写体領域と特定することを特徴とする請求項１１に記載の表示装置の制御方法。
【請求項１３】
前記特定工程は、前記入力画像のうち、所定のオブジェクトが表示される領域を前記被写体領域と特定することを特徴とする請求項１１または請求項１２に記載の表示装置の制御方法。
【請求項１４】
前記所定のオブジェクトは、人の顔、もしくは人体の少なくとも一部を示すオブジェクトであることを特徴とする請求項１３に記載の表示装置の制御方法。
【請求項１５】
前記周辺領域は、前記被写体領域からの距離が、所定の距離よりも短い領域であることを特徴とする請求項１１乃至請求項１４のいずれか１項に記載の表示装置の制御方法。
【請求項１６】
前記制御工程は、前記入力画像の前記周辺領域のうち所定の階調値より大きい階調値を有する画素の階調値を、前記所定の階調値以下にする補正を施した表示画像に基づいて、前記表示手段を制御することを特徴とする請求項１１乃至請求項１５のいずれか１項に記載の表示装置の制御方法。
【請求項１７】
前記制御工程は、前記入力画像の前記周辺領域のうち所定の階調値より大きい階調値を有する領域を前記高輝度領域と判定し、前記高輝度領域の階調値を前記所定の階調値以下にする補正を前記入力画像に施した表示画像に基づいて、前記表示手段を制御することを特徴とする請求項１１乃至請求項１５のいずれか１項に記載の表示装置の制御方法。
【請求項１８】
前記表示手段は、個別に発光を制御可能な複数の発光ブロックを有する発光手段と、前記発光手段の光を透過して画像を表示する表示パネルと、を備え、
前記制御工程は、各発光ブロックに対応する前記入力画像の明るさに応じて、各発光ブロックの発光を制御することを特徴とする請求項１１乃至請求項１４のいずれか１項に記載の表示装置の制御方法。
【請求項１９】
各発光ブロックに対応する前記入力画像の領域の明るさに応じて、各発光ブロックの発光量を設定する設定工程と、
前記被写体領域に対応する対象発光ブロックの近傍の周辺発光ブロックのうち、前記設定工程で設定された発光量が所定の発光量より大きい補正ブロックの発光量を、前記所定の発光量以下に補正する補正工程と、
を備え、
前記制御工程は、前記補正工程で補正された各発光ブロックの発光量に基づいて、各発光ブロックの発光を制御することを特徴とする請求項１８に記載の表示装置の制御方法。
【請求項２０】
前記入力画像の前記被写体領域の輪郭領域を強調する処理を施す輪郭強調工程を更に有し、
前記制御工程は、前記輪郭強調工程で前記処理を施された前記入力画像に基づいて、前記表示手段を制御することを特徴とする請求項１１乃至請求項１９のいずれか１項に記載の表示装置の制御方法。
【請求項２１】
請求項１１乃至請求項２０のいずれか１項に記載の表示装置の制御方法を演算処理装置が実行するためのプログラム。
【請求項２２】
請求項２１に記載のプログラムを記憶し、演算処理装置が読み取りおよび書き込みが可能な記憶媒体。
【発明の詳細な説明】
【技術分野】
【０００１】
本発明は、入力画像に基づいて画像を表示する表示装置およびその制御方法に関する。
【背景技術】
【０００２】
撮影現場等において、被写体を含む画像を撮影するカメラを液晶ディスプレイ等の表示装置に接続して、表示装置に表示した撮影中の画像によりカメラのフォーカスが被写体に合っているか否かを、ユーザが確認することがある。
【０００３】
フォーカスの確認方法としては、表示される画像のなかの被写体の輪郭箇所をユーザが確認する方法がある。例えば、画像に輪郭強調処理を施して、輪郭強調処理を施して輪郭箇所をユーザが確認する方法がある。
【０００４】
特許文献１には、撮像装置から被写体までの距離と、撮像装置から被写体の周辺の周辺被写体までの距離との差分に応じた強度で、各被写体に対して輪郭強調処理を施す画像処理装置が開示されている。
【先行技術文献】
【特許文献】
【０００５】
【特許文献１】特開２０１１−１２４７１２号公報
【発明の概要】
【発明が解決しようとする課題】
【０００６】
しかしながら、上述した従来の技術では、被写体の周囲に明るい画像が表示される場合に、被写体の輪郭をユーザが視認し辛くなることがあった。
【０００７】
そこで、本発明は、上記課題に鑑みて、所定の条件を満たす被写体領域の輪郭を、ユーザが好適に確認することが可能な表示装置を提供することを目的とする。
【課題を解決するための手段】
【０００８】
上述した課題を解決するために、本発明に係る表示装置は、入力画像に基づく画像を表示する表示手段と、前記入力画像のうち所定の条件を満たす被写体領域を特定する特定手段と、前記入力画像の前記被写体領域の近傍の周辺領域のうち、所定の表示輝度より明るく表示される高輝度領域が前記所定の表示輝度以下で表示されるように前記表示手段を制御する制御手段と、を備えることを特徴とする。
【発明の効果】
【０００９】
本発明に係る表示装置によれば、所定の条件を満たす被写体領域の周辺の領域が所定の明るさ以下で表示されるように制御することが可能となる。
【００１０】
したがって、被写体が表示されている等の所定の条件を満たす領域の輪郭を、ユーザが好適に確認することが可能となる。
【図面の簡単な説明】
【００１１】
【図１】表示装置の装置構成図である。
【図２】制御部が実行する各機能ブロックを示す第１のブロック図である。
【図３】制御部が実行する液晶パネルの表示制御フローを示す第１のフローチャートである。
【図４】画像処理部によって所定の画像処理が施された入力画像の模式図である。
【図５】入力画像の被写体領域、周辺領域、および高輝度領域を示す模式図である。
【図６】発光量設定部が用いる特徴量と発光量とを関連付けた情報を示す模式図および各発光ブロックに設定された発光量を示す模式図である。
【図７】伸長処理前後の階調値の関係を示す模式図である。
【図８】補正処理部が階調変換処理に用いる変換テーブルを示す模式図である。
【図９】補正画像に基づいて、液晶パネルに表示された画像を示す模式図である。
【図１０】補正処理部が、周辺領域に含まれる画素の階調値を変換するために用いる変換テーブルを示した模式図である。
【図１１】制御部が実行する各機能ブロックを示す第２のブロック図である。
【図１２】制御部が実行するバックライト制御フローを示す第２のフローチャートである。
【図１３】画像処理部によって所定の画像処理が施された入力画像の模式図である。
【図１４】入力画像に基づいて発光量設定部が設定した各発光ブロックの発光量を示した模式図である。
【図１５】発光量補正部が発光量を補正した後の各発光ブロックの発光量を示す模式図である。
【図１６】液晶パネルに表示される画像を示した模式図である。
【発明を実施するための形態】
【００１２】
以下、図面を用いて本発明の実施の形態について説明する。なお、本発明の技術的範囲は、特許請求の範囲によって確定され、以下に例示する実施例によって限定されるものではない。また、実施例の中で説明されている特徴の組み合わせすべてが本発明に必須とは限らない。本明細書および図面に記載の内容は例示であって、本発明を制限するものと見なすべきではない。本発明の趣旨に基づき種々の変形（各実施例の組合せを含む）が可能であり、それらを本発明の範囲から除外するものではない。即ち、各実施例及びその変形例を組み合わせた構成も全て本発明に含まれるものである。
【００１３】
（第１の実施例）
図１は、表示装置１の装置構成図である。表示装置１は、表示モジュール１０と、制御部１００と、記憶部２００とを備える。
【００１４】
表示モジュール１０は、制御部１００によって駆動を制御され、画像を表示することが可能である。表示モジュール１０は、液晶パネル１１と、バックライト１２とを備える。なお、表示モジュール１０は、液晶パネル１１と、バックライト１２との間に、バックライト１２から照射された光が好適に液晶パネル１１に照射されるように、光を拡散する光学シート等の光学部材を備えていてもよい。また、表示モジュール１０は、液晶パネル１１と、バックライト１２とを固定するためのフレーム等の部材（非図示）を備える。
【００１５】
液晶パネル１１は、個別に光の透過率を制御可能な複数の液晶素子を備える表示パネルである。なお、液晶パネル１１は、Ｍｉｃｒｏ  Ｅｌｅｃｔｒｏ  Ｍｅｃｈａｎｉｃａｌ  Ｓｙｓｔｅｍｓ（ＭＥＭＳ）で形成され、光の透過率を制御可能な素子を複数有する透過型の表示パネルであってもよい。液晶パネル１１は、制御部１００により、各液晶素子の透過率を制御され、バックライト１２から照射された光を透過して、画像を表示する。
【００１６】
バックライト１２は、個別に発光量を制御可能な複数の発光ブロックを備え、液晶パネル１１に向けて光を照射する照明装置である。バックライト１２は、複数の発光ブロックがマトリックス状に配置される。制御部１００により、複数の発光ブロックの発光が個別に制御される。各発光ブロックは、１以上の光源を備える。
【００１７】
制御部１００は、入力画像のうち所定の条件を満たす被写体領域を検出し、入力画像に基づいて画像を表示した場合に被写体領域の周囲の所定の明るさよりも明るく表示される領域が、所定の明るさ以下で表示されるように表示モジュール１０を制御する。制御部１００は、上述の処理を、ユーザの指示に応じて実行する。また、表示装置１が、表示装置１と接続した撮像装置から入力画像を取得する場合、撮像装置から所定の信号が入力されたこと応じて、上述の処理を実行するものであってもよい。例えば、所定の信号は、表示装置１の表示モードを、フォーカスを確認する表示モードに変更する指示を示す信号である。
【００１８】
制御部１００は、入力画像に基づいて、表示モジュール１０を制御する制御回路である。例えば、制御部１００は、Ｃｅｎｔｒａｌ  Ｐｒｏｃｅｓｓｉｎｇ  Ｕｎｉｔ（ＣＰＵ）や、Ｍｉｃｒｏ  Ｐｒｏｃｅｓｓｉｎｇ  Ｕｎｉｔ（ＭＰＵ）の演算処理回路であるとする。この場合、制御部１００は、記憶部２００から読み取ったプログラムを実行することにより、後述する処理を実行する。なお、制御部１００は、後述する制御部１００が実行する処理の一部もしくは全てを実行可能な電子回路等のハードウェアを含むものであってもよい。
【００１９】
記憶部２００は、制御部１００が実行するプログラムを演算処理回路が読取可能な記憶媒体である。記憶部２００は、後述する処理を制御部１００が実行するために必要なプログラムや、パラメータを記憶する。例えば、記憶部２００は、ハードディスク等の不揮発性の記憶媒体である。なお、記憶部２００は、半導体メモリ等の揮発性のメモリを含む複数の記憶媒体からなるものであってもよい。なお、制御部１００と記憶部２００とは、同一の回路基板に設けられていてもよい。
【００２０】
図２は、制御部１００が実行する各機能ブロックを示すブロック図である。制御部１００は、画像処理部１０１、被写体領域特定部１０２、高輝度領域判定部１０３、発光量設定部１０４、伸長処理部１０５、補正処理部１０６、輪郭強調部１０７、表示制御部１０８、およびバックライト制御部１０９を備える。
【００２１】
画像処理部１０１は、取得した入力画像に対して、階調補正やガンマ変換等の予め定められた画像処理を施す。画像処理部１０１が実行する画像処理は、ユーザが指定した画像処理であってもよい。画像処理部１０１は、画像処理が施された入力画像を出力する。以降、制御部１００の各機能ブロックが処理に用いる入力画像は、この画像処理が施された入力画像を指すものとする。
【００２２】
被写体領域特定部１０２は、入力画像のうち、所定の条件を満たす被写体領域を特定する。例えば、被写体領域特定部１０２は、入力画像の輪郭領域を取得し、取得した輪郭領域に囲まれる領域を被写体領域と特定するものとする。被写体領域特定部１０２は、特定した被写体領域の位置を示す情報を出力する。
【００２３】
なお、被写体領域特定部１０２は、入力画像のうち、記憶部２００から取得した所定のオブジェクトが表示されている領域を被写体領域として特定してもよい。この場合、所定のオブジェクトは、人の顔などの人体の一部もしくは全体、建物、動物等、ユーザが任意に設定可能である。また、被写体領域特定部１０２は、予め入力画像に付加された被写体領域の位置を示す情報を解析することにより、被写体領域を特定してもよい。
【００２４】
高輝度領域判定部１０３は、入力画像と被写体領域の位置を示す情報とに基づいて、入力画像に基づいて表示モジュール１０に画像が表示された場合に、被写体領域の周囲で所定の表示輝度よりも明るく表示される高輝度領域を判定して取得する。例えば、高輝度領域判定部１０３は、被写体領域の周辺の周辺領域を特定し、周辺領域で所定の階調値よりも大きい階調値が指定されている領域を高輝度領域と判定する。高輝度領域判定部１０３は、高輝度領域の位置を示す情報を出力する。
【００２５】
なお、高輝度領域判定部１０３は、階調値の他に、記憶部２００から取得した表示装置１の最大表示輝度の設定値を用いて、高輝度領域を判定することも可能である。最大表示輝度の設定値は、表示装置１において、最大の階調値が表示される場合の輝度である。例えば、高輝度領域判定部１０３は、入力画像に基づいて表示モジュール１０に画像が表示された場合に、被写体領域の周囲で所定の表示輝度よりも高い輝度で表示される領域を高輝度領域と判定する。
【００２６】
発光量設定部１０４は、入力画像に基づいて、複数の発光ブロックそれぞれの発光量を設定する。発光量設定部１０４は、各光源が対応する液晶パネル１１に表示される入力画像の明るさを示す特徴量に応じて、対応する発光ブロックの発光量を決定する。例えば、発光量設定部１０４は、対応する入力画像の明るさを示す特徴量が、所定の値よりも小さい場合に、対応する光源の発光量を基準の発光量よりも小さい発光量とする。入力画像の明るさを示す特徴量は、例えば、画像の階調値の最大値、平均値、中央値等のパラメータである。発光量設定部１０４は、各発光ブロックに対して設定した発光量を出力する。
【００２７】
伸長処理部１０５は、入力画像を、各発光ブロックに設定された発光量に基づいて補正した伸長処理画像を生成して出力する。具体的には、伸長処理部１０５は、発光ブロックに設定された発光量と基準の発光量との差分に応じて、当該発光ブロックに対応する入力画像の階調値にゲイン処理を施す。これにより、入力画像において同一の階調値を有する複数の画素は、それぞれ対応する発光ブロックの発光量が異なっていても、同程度の輝度で表示される。伸長処理部１０５は、伸長処理画像を出力する。
【００２８】
補正処理部１０６は、伸長処理画像のうち、高輝度領域に含まれる画素の階調値を低減する処理を施して、補正画像を生成する。補正処理部１０６が実行する処理の詳細は後述する。補正処理部１０６は、補正画像を輪郭強調部１０７に出力する。
【００２９】
輪郭強調部１０７は、被写体領域特定部１０２から取得した入力画像の輪郭領域に対応する補正画像の輪郭領域を強調する処理を施す。輪郭強調部１０７が実行する強調処理は、例えば、表示画像の輪郭領域に所定の色で着色する処理であるとする。輪郭強調部１０７は、ユーザの指示に応じて、独立に輪郭強調処理の実行を制御されるものであってもよい。輪郭強調部１０７は、輪郭強調処理を施された補正画像を出力する。
【００３０】
表示制御部１０８は、補正画像に基づいて、液晶パネル１１の各液晶素子の透過率を制御する。輪郭強調部１０７が輪郭強調処理を補正画像に施した場合、表示制御部１０８は、輪郭強調処理を施された補正画像に基づいて、液晶パネル１１を制御する。例えば、表示制御部１０８は、各液晶素子の透過率を、ＰＷＭ制御によって制御するとする。
【００３１】
バックライト制御部１０９は、発光量設定部１０４から出力された各発光ブロックの発光量に基づいて、各発光ブロックの発光を制御する。例えば、バックライト制御部１０９は、各発光ブロックに設定された発光量で、各発光ブロックから光が照射されるように、各発光ブロックの発光をＰＷＭ制御によって制御するとする。
【００３２】
図３は、制御部１００が実行する液晶パネル１１の表示制御フローを示すフローチャートである。図３に示す表示制御フローは、表示装置１の駆動中に周期的に繰り返して実行される。例えば、表示制御フローは、入力画像のフレームレートの整数倍の周波数で実行されるとする。
【００３３】
表示制御フローが開始されると、Ｓ１０１で、画像処理部１０１は、取得した入力画像に対して予め定められた画像処理を施した入力画像２０を出力する。処理は、Ｓ１０２に進む。図４は、画像処理部１０１によって所定の画像処理が施された入力画像２０の模式図である。入力画像２０には、人物２１、雲２２、および太陽２３を示すオブジェクトが表示される。
【００３４】
入力画像２０は、マトリックス状に配置された複数の画素に対して、それぞれ８ｂｉｔで階調値が指定されるとする。例えば、人物２１が表示される領域に含まれる階調値は、最大で１６０であり、雲２２および太陽２３が表示される領域に含まれる階調値は、２００以上であるとする。また、それ以外の領域に含まれる階調値は、最大で６０であるとする。入力画像２０に基づいて画像を表示した場合、人物２１が表示される領域よりも雲２２および太陽２３が表示される領域は明るく表示される。したがって、人物２１に雲２２が近接している図４の破線の楕円で示した領域２４では、入力画像２０に基づいて画像が表示された場合、ユーザは、雲２２の明るさにより人物２１の輪郭箇所を確認し辛い。したがって、ユーザは人物２１にフォーカスが合っているかを確認し辛くなる場合がある。
【００３５】
Ｓ１０２で、被写体領域特定部１０２は、入力画像２０の被写体領域を特定する処理を実行する。被写体領域特定部１０２は、入力画像２０の輪郭領域を取得する。例えば、被写体領域特定部１０２は、入力画像２０に対して微分処理を施して、入力画像２０の輪郭領域を検出するとする。なお、被写体領域検出部１２０が入力画像２０の輪郭領域を取得する方法は、微分処理に限らず、従来の輪郭検出処理に用いられる種々の方法を使用することが可能である。被写体領域特定部１０２は、入力画像２０の輪郭領域に囲まれた領域を被写体領域として特定する。
【００３６】
図５は、入力画像２０の被写体領域、周辺領域、および高輝度領域を示す模式図である。図５において、人物２１の太線で示した箇所が輪郭領域である。また、図５の斜線で示した領域が、被写体領域２５である。被写体領域特定部１０２は、輪郭領域を示す情報と、被写体領域２５の位置を示す情報とを出力する。処理はＳ１０３に進む。
【００３７】
Ｓ１０３で、高輝度領域判定部１０３は、被写体領域２５の位置を示す情報に基づいて、入力画像２０のうち高輝度領域２７を判定する。高輝度領域判定部１０３は、記憶部２００から、被写体領域２５から周辺領域２６を決定するためのパラメータｍを取得する。例えば、パラメータｍは、ユーザが設定可能な画素数もしくは距離を示す値であるとする。高輝度領域判定部１０３は、入力画像２０において、被写体領域２５からパラメータｍ以下の画素数もしくは距離に含まれる領域を周辺領域２６とする。図５の破線で示した境界が、被写体領域２５からパラメータｍ離れた境界であり、図５の破線と、輪郭領域を示す太線とに囲まれた領域が周辺領域２６である。
【００３８】
さらに高輝度領域判定部１０３は、周辺領域２６に含まれる画素のうち、記憶部２００から取得した高階調閾値Ｔｈより大きい階調値を有する画素を、高輝度領域２７として判定する。例えば、高階調閾値Ｔｈは、２００であるとする。図５に示すように、高輝度領域判定部１０３は、周辺領域２６のうち、階調値が２００以上である雲２２が表示される領域を高輝度領域２７と判定する。高輝度領域判定部１０３は、高輝度領域２７の位置を示す情報を補正処理部１０６に出力する。処理はＳ１０４に進む。
【００３９】
Ｓ１０４で、発光量設定部１０４は、入力画像２０に基づいて各発光ブロックの発光量を設定する発光量設定処理を実行する。発光量設定部１０４は、各発光ブロックに対応する入力画像２０の明るさを示す特徴量に基づいて、各発光ブロックの発光量を設定する。例えば、各光源に対応する入力画像２０の明るさを示す特徴量は、各発光ブロックに対応する入力画像２０の領域に含まれる画素の階調値の最大値であるとする。
【００４０】
図６（ａ）は、発光量設定部１０４が各発光ブロックの発光量を取得するために用いる、特徴量と発光量とを関連付けた情報を示す模式図である。発光量設定部１０４は、記憶部２００から特徴量と発光量とを関連付けた情報を取得する。例えば、特徴量と発光量とを関連付けた情報は、図６（ａ）に示すように、特徴量に対してステップ状に発光量が関連付けられているとする。なお、特徴量と発光量とを関連付けた情報は、特徴量に対して発光量が線形になるように関連付けられていてもよいし、任意の関数で関連付けられていてもよい。
【００４１】
ここで、発光量１００％は、各光源の基準となる発光量である。例えば、基準となる発光量は、表示装置１に設定された最大の表示輝度に応じて決定される。最大の表示輝度が１０００ｃｄ／ｍ２であり、液晶パネル１１の液晶素子を最大階調値に基づいて制御した場合の透過率が５０％である場合、基準となる発光量は２０００ｃｄ／ｍ２である。
【００４２】
図６（ｂ）は、バックライト１２の各発光ブロックに対して入力画像２０に基づいて取得された発光量を示す模式図である。例えば、バックライト１２は、水平方向に５つ、垂直方向に４つのマトリックス状に配置された複数の発光ブロックからなるとする。各発光ブロックに対応する入力画像２０の特徴量（最大階調値）に基づいて、各発光ブロックの発光量は、図６（ｂ）のように設定される。
【００４３】
例えば、入力画像２０において、雲２２もしくは太陽２３が含まれる領域の特徴量は少なくとも２００以上であるので、対応する発光ブロックの発光量は１００％となる。入力画像２０において、雲２２もしくは太陽２３が含まれず、人物２１が含まれる領域の特徴量は少なくとも１６０以下であるので、対応する光源の発光量は７５％となる。いずれのオブジェクトも含まれない領域に対応する光源の発光量は２５％となる。発光量設定部１０４は、各発光ブロックの発光量を出力する。処理は、Ｓ１０５に進む。
【００４４】
Ｓ１０５で、伸長処理部１０５は、入力画像２０の階調値を、対応する発光ブロックに設定された発光量に基づいて補正した伸長処理画像を生成する。具体的には、入力画像２０において同一の階調値を有する複数の画素が、それぞれ対応する発光ブロックに設定された発光量が異なっても、同程度の輝度で表示されるように階調値を補正する。例えば、伸長処理部１０５は、基準の発光量である発光量１００％に対する各発光ブロックの発光量の比の逆数を、対応する入力画像２０の階調値に乗算するとする。
【００４５】
図７は、伸長処理部１０５における、処理前後の階調値の関係を示す模式図である。発光量１００％の光源に対応する入力画像２０の領域では、図７の実線に示すように補正前後で、階調値は変化しない。また、発光量５０％の光源に対応する入力画像２０の領域では、図７の一点破線に示すように、補正前後で階調値は２倍（＝１／（５０／１００））に変換される。伸長処理部１０５は、伸長処理画像を出力する。処理はＳ１０６に進む。
【００４６】
Ｓ１０６で、補正処理部１０６は、伸長処理画像のうち、高輝度領域に含まれる画素の階調値を低減する処理を施して補正画像を生成する。例えば、補正処理部１０６は、高輝度領域に含まれる画素の階調値が、所定の階調値以下になるように変換処理を施すとする。図８は、補正処理部１０６が階調変換処理に用いる変換テーブルを示す模式図である。図８中の実線は、伸長処理画像のうち高輝度領域に含まれる階調値を変換する変換テーブルを示している。また、図８中の一点破線は、伸長処理画像のうち高輝度領域でない領域に含まれる画素の階調値を変換する変換テーブルを比較のために示した直線である。例えば、図８に示す変換テーブルを用いて、補正処理部１０６は高輝度領域に含まれる画素の階調値を１／２に変換するとする。補正処理部１０６は、補正画像を出力する。処理はＳ１０７に進む。
【００４７】
Ｓ１０８で、輪郭強調部１０７は、補正画像の輪郭領域を強調する処理を施す。具体的には、輪郭強調部１０７は、被写体領域特定部１０２から取得した入力画像２０の輪郭領域に基づいて、補正画像の輪郭領域が所定の色で表示されるように着色する。輪郭強調部１０７は、輪郭強調処理を施した補正画像を出力する。処理は、Ｓ１０９に進む。
【００４８】
Ｓ１０９で、表示制御部１０８は、補正画像に基づいて、液晶パネル１１の各液晶素子の透過率を制御する。なお、表示制御部１０８は、輪郭強調処理が施された補正画像が生成されている場合は、輪郭強調処理が施された補正画像に基づいて液晶パネル１１を制御し、そうでない場合は、補正画像に基づいて液晶パネル１１を制御する。以上で、表示制御フローが終了する。
【００４９】
制御部１００は、上述の表示制御フローを、表示装置１の駆動中に繰り返し実行する。例えば、制御部１００は、入力画像２０のフレームの同期信号の整数倍の周波数で、表示制御フローを周期的に実行するとする。
【００５０】
図９は、補正画像に基づいて、液晶パネル１１に表示された画像を示す模式図である。図９（ａ）は、輪郭強調部１０７による輪郭強調処理が行われていない場合の補正画像に基づいて、液晶パネル１１に表示された画像を示す模式図である。補正画像に基づいて液晶パネル１１に画像が表示された場合、被写体領域２５に隣接する高輝度領域２７の表示輝度は、入力画像２０に基づいて液晶パネル１１に画像が表示された場合よりも暗く表示される。例えば、図９（ａ）に示すように、補正画像に基づいて液晶パネル１１に画像が表示された場合、高輝度領域２７の表示輝度は、高輝度領域２７でない雲２２が表示される領域よりも暗く表示される。
【００５１】
高輝度領域２７の明るさが低減されることにより、ユーザは、入力画像２０に基づいて画像が表示された場合に高輝度で表示される高輝度領域２７に隣接する被写体領域２５の境界箇所を、好適に視認することが可能となる。したがって、ユーザは、入力画像において、所定の条件を満たす被写体領域のフォーカスを好適に確認することが可能となる。
【００５２】
また、被写体領域２５に隣接する領域が高輝度で表示されなくなることから、被写体領域２５の輪郭領域を強調する処理を施した場合に、ユーザが強調表示の有無や、程度をより精度よく確認することが可能となる。図９（ｂ）は、輪郭強調部１０７が輪郭強調処理を施した場合の補正画像に基づいて、液晶パネル１１に表示された画像を示す模式図である。被写体領域２５の周囲の高輝度領域の表示輝度が低減されるため、ユーザは強調された輪郭箇所を好適に視認することが可能となる。したがって、ユーザは、被写体領域のフォーカスの確認がしやすくなる。
【００５３】
なお、入力画像２０に基づいて液晶パネル１１に画像を表示した場合に、被写体領域２５に近接する領域で所定の表示輝度よりも明るく表示される領域が、所定の表示輝度以下で表示されるように入力画像２０に補正を施す処理は、上述に限らない。例えば、補正処理部１０６は、入力画像２０の周辺領域２６に含まれる画素の階調値を、所定の階調値より大きい階調値が所定の階調値以下に低減するように定められた変換テーブルを用いて、変換するものであってもよい。
【００５４】
図１０は、補正処理部１０６が、周辺領域２６に含まれる画素の階調値を変換するために用いる変換テーブルの１例を示した模式図である。図１０に示す変換テーブルによれば、入力画像２０の周辺領域２６に含まれる画素のうち、階調値が高階調閾値Ｔｈ以下の画素の階調値を変えず、階調値が高階調閾値Ｔｈより大きい画素の階調値を高階調閾値Ｔｈよりも小さくなるように変換する。例えば、高階調閾値Ｔｈは、階調値２００であるとする。
【００５５】
上述の処理により、入力画像２０に基づいて画像を表示した場合に被写体領域２５の近傍で所定の明るさよりも明るく表示される領域の表示輝度を低減することが可能となる。
【００５６】
なお、第１の実施例における表示モジュール１０は、液晶パネル１１等の透過型のディスプレイを用いた表示モジュールでなくともよい。例えば、表示モジュール１０は、複数の有機ＥＬ（Ｅｌｅｃｔｒｏ  Ｌｕｍｉｎｅｃｅｎｓｅ）素子を用いて、画像を表示する有機ＥＬディスプレイ等の自発光型のディスプレイを用いた表示モジュールであってもよい。表示モジュール１０が自発光型のディスプレイを用いるものである場合、制御部１００は、入力画像の高輝度領域が所定の明るさ以下で表示されるように、入力画像を補正した補正画像に基づいて画像が表示されるように、表示モジュール１０を制御する。
【００５７】
（第２の実施例）
第２の実施例における表示装置１は、対応する入力画像の明るさに応じた発光量でそれぞれ個別に発光を制御可能な複数の発光ブロックを備えるバックライト１２を有する。表示装置１は、入力画像のうち所定の条件を満たす被写体領域に対応する発光ブロックに近接し、入力画像に基づき設定された発光量が所定の発光量よりも大きい発光ブロックの発光を、所定の発光量以下の発光量で制御する。
【００５８】
第２の実施例における表示装置１の装置構成は、第１の実施例と同様であることから説明を省略する。図１１は、第２の実施例における制御部１００の機能ブロックを示したブロック図である。制御部１００は、画像処理部１０１、被写体領域特定部１０２、発光量設定部１０４、伸長処理部１０５、輪郭強調部１０７、表示制御部１０８、バックライト制御部１０９、補正ブロック決定部２０１、および発光量補正部２０２を備える。画像処理部１０１、被写体領域特定部１０２、発光量設定部１０４、伸長処理部１０５、輪郭強調部１０７、表示制御部１０８、およびバックライト制御部１０９の機能は、第１の実施例と同様であるため、詳細な説明を省略する。
【００５９】
補正ブロック決定部２０１は、入力画像の被写体領域に基づいて、バックライト１２が備える複数の発光ブロックのうち、発光量を低減する補正ブロックを取得する。具体的には、補正ブロック決定部２０１は、バックライト１２が備える複数の発光ブロックのうち、被写体領域特定部１０２が特定した入力画像の被写体領域に対応する対象ブロックと、対象ブロックの近傍の周辺ブロックとを特定する。さらに補正ブロック決定部２０１は、周辺ブロックのうち、発光量設定部１０４が設定した発光量が、所定の発光量よりも大きい発光ブロックを補正ブロックとして決定する。補正ブロック決定部２０１は、複数の発光ブロックのうち、どの発光ブロックが補正ブロックであるかを示す情報を出力する。
【００６０】
発光量補正部２０２は、発光量設定部１０４が設定した各発光ブロックの発光量のうち、補正ブロックの発光量を低減するように補正する処理を施す。発光量補正部２０２は、補正した補正ブロックの発光量を含む、複数の発光ブロックの発光量を出力する。バックライト制御部１０９は、発光量補正部２０２から出力された各発光ブロックの発光量で、各発光ブロックが発光するように、各発光ブロックを制御する。
【００６１】
図１２は、第２の実施例における制御部１００のバックライト制御フローを示すフローチャートである。制御部１００は、バックライト制御フローを表示装置１が駆動している間、周期的に繰り返し実行する。制御部１００は、例えば、入力画像のフレームレートの整数倍の周波数で、バックライト制御フローを実行するとする。Ｓ１０１およびＳ１０２の各処理は、第１の実施例と同様であることから詳細の説明を省略する。
【００６２】
図１３は、画像処理部１０１によって所定の画像処理が施された入力画像３０の模式図である。入力画像３０には、人物３１、雲３２、および太陽３３を示すオブジェクトが表示される。入力画像３０は、マトリックス状に配置された複数の画素に対して、それぞれ８ｂｉｔで階調値が指定されるとする。例えば、人物３１が表示される領域に含まれる階調値は、最大で１６０であり、雲３２および太陽３３が表示される領域に含まれる階調値は、２００以上であるとする。また、それ以外の領域に含まれる階調値は、最大で６０であるとする。つまり、雲３２と太陽３３が表示される領域は、他の領域に比べて明るい領域であるといえる。
【００６３】
図１３の点線で囲まれた複数の矩形の領域は、入力画像３０に基づいて液晶パネル１１に画像が表示された場合に、対応するバックライト１２の発光ブロックに対応する領域を示している。例えば、バックライト１２は、垂直方向に７個（１〜７）、水平方向に１０個（Ａ〜Ｊ）のマトリックス状に配置された７０個の発光ブロックを備えているとする。以降、複数の発光ブロックのうち特定の発光ブロックについて指示する場合は、垂直方向と水平方向の位置に応じた添え字を付す。例えば、図１３において、もっとも右上の領域に対応する発光ブロックは、発光ブロックＪ１と示す。
【００６４】
Ｓ１０２で、被写体領域特定部１０２は、入力画像３０のうち、所定の条件を満たす被写体領域３４を特定する。例えば、被写体領域特定部１０２は、入力画像３０の輪郭領域を取得しし、取得された輪郭領域に囲まれた領域を被写体領域と特定する。なお、被写体領域特定部１０２の被写体領域の特定方法は、第１の実施例と同様に、他の方法を用いてもよい。例えば、被写体領域特定部１０２は、入力画像３０のうち、人物３１の領域を被写体領域として特定したとする。
【００６５】
Ｓ１０４で、発光量設定部１０４は、入力画像３０に基づいて、各発光ブロックの発光量を設定する。発光量設定部１０４が、各発光ブロックの発光量を設定する方法は、第１の実施例と同様であるとする。発光量設定部１０４は、各発光ブロックに対して設定した発光量の情報を出力し、処理はＳ２０１に進む。
【００６６】
図１４は、入力画像３０に基づいて発光量設定部１０４が設定した各発光ブロックの発光量を示した模式図である。例えば、発光量設定部１０４は、液晶パネル１１のうち入力画像３０の雲３２および太陽３３が表示される領域に対応する発光ブロックＡ１、Ａ２、Ｂ１、Ｂ２、Ｆ１〜Ｊ１およびＦ２〜Ｊ２に発光量１００％を設定する。発光量設定部１０４は、液晶パネル１１のうち入力画像３０の人物３１が表示される領域に対応する発光ブロックＤ３〜Ｄ７、Ｅ３〜Ｅ７、Ｆ３〜Ｆ７、Ｇ３〜Ｇ７に発光量７５％を設定する。さらに発光量設定部１０４は、上記以外の発光ブロックに対して発光量２５％を設定する。
【００６７】
Ｓ２０１で、補正ブロック決定部２０１は、複数の発光ブロックのうち、被写体領域に対応する発光ブロックの近傍の周辺発光ブロックのうち、設定された発光量が所定の発光量よりも大きい発光ブロックを、補正ブロックとして決定する。補正ブロック決定部２０１は、入力画像３０に基づいて液晶パネル１１に画像が表示された場合に、被写体領域が表示される領域に対応する発光ブロックを、対象発光ブロックとする。図１３において、人物３１が表示される領域が被写体領域であるとすると、対象発光ブロックは、発光ブロックＤ３〜Ｄ７、Ｅ３〜Ｅ７、Ｆ３〜Ｆ７、Ｇ３〜Ｇ７である。
【００６８】
補正ブロック決定部２０１は、対象発光ブロックの近傍の発光ブロックを周辺発光ブロックとする。周辺発光ブロックは、被写体領域に対応する発光ブロックから所定の距離離れた発光ブロックである。例えば、補正ブロック決定部２０１は、対象発光ブロックに隣接し、対象発光ブロックでない発光ブロックを周辺発光ブロックとする。例えば、周辺発光ブロックは、発光ブロックＣ２〜Ｃ７、Ｄ２〜Ｇ２、Ｈ２〜Ｈ７であるとする。なお、周辺発光ブロックは、対象発光ブロックに隣接し対象発光ブロックでない発光ブロックにさらに隣接する発光ブロックを含むものであってもよい。周辺発光ブロックと対象発光ブロックとの距離は、発光ブロックの大きさや、ユーザの指定により、変更することが可能である。
【００６９】
補正ブロック決定部２０１は、周辺発光ブロックのうち、発光量設定部１０４が設定した発光量が所定の発光量以上である発光ブロックを補正ブロックと決定する。発光量設定部１０４は、各発光ブロックに対応する入力画像３０の明るさに応じて決定されることから、補正ブロックは、対応する領域に所定の明るさ以上の明るさの画像が表示される発光ブロックであるといえる。
【００７０】
例えば、補正ブロック決定部２０１は、周辺発光ブロックのうち、発光量設定部１０４が設定した発光量が７５％以上である発光ブロックを、補正ブロックと決定する。この場合、補正ブロック決定部２０１は、図１４のうち、黒枠線で示した発光ブロックＦ２、Ｇ２およびＨ２を補正ブロックと決定する。補正ブロック決定部２０１は、補正ブロックの位置を示す情報を出力する。処理はＳ２０２に進む。
【００７１】
Ｓ２０２で、発光量補正部２０２は、発光量設定部１０４が設定した各発光ブロックの発光量のうち、補正ブロックの発光量を低減する処理を施す。具体的には、発光量補正部２０２は、補正ブロックの発光量が、所定の発光量以下になるように補正ブロックの発光量を補正する。図１５は、発光量補正部２０２が発光量を補正した後の、各発光ブロックの発光量を示す模式図である。例えば、所定の発光量が７５％であるとすると、図１５に示すように補正ブロック決定部２０１で補正ブロックと決定された発光ブロックＦ２、Ｇ２およびＨ２の発光量は、５０％に補正される。発光量補正部２０２は、補正ブロックの発光量を補正した各発光ブロックの発光量を出力する。処理は、Ｓ２０３に進む。
【００７２】
Ｓ２０３で、バックライト制御部１０９は、発光量補正部２０２から出力された各発光ブロックの発光量で、各発光ブロックが光を発するように、各発光ブロックの発光を制御する。Ｓ２０３の処理が完了し、一連のバックライト制御フローが終了する。
【００７３】
一方、伸長処理部１０５は、入力画像３０を発光量設定部１０４が設定した各発光ブロックの発光量に基づいて伸長補正を施して、表示画像を生成する。具体的な補正方法は、第１の実施例における補正方法と同様であるので説明を省略する。輪郭強調部１０７が表示画像に対して、被写体領域特定部１０２から取得した入力画像の輪郭領域に対応する表示画像の輪郭領域を強調する処理を施す。さらに、表示制御部１０８は、表示画像に基づいて、液晶パネル１１の各液晶素子を制御する。
【００７４】
図１６は、第２の実施例において、液晶パネル１１に表示される画像を示した模式図である。例えば、発光量補正部２０２による発光量の補正をしない場合、領域３６に表示される雲３２が明るいことにより、ユーザが、人物３１の領域３６に近接する輪郭箇所を確認する際に眩しさを感じる場合がある。第２の実施例によれば、被写体領域に対応する発光ブロックの近傍の発光ブロックのうち所定の発光量以上の発光量が設定された発光ブロックに対応する領域３６が、発光量補正部２０２による発光量の補正をしない場合に比べて暗く表示される。したがって、領域３６に近接する被写体領域の輪郭箇所を、ユーザが好適に視認することが可能となる。
【符号の説明】
【００７５】
１  表示装置
１０  表示モジュール
１００  制御部
１０２  被写体領域特定部
１０３  高輝度領域判定部
１０６  補正処理部
【図１】
2017219815.tif 000003
【図２】
2017219815.tif 000004
【図３】
2017219815.tif 000005
【図４】
2017219815.tif 000006
【図５】
2017219815.tif 000007
【図６】
2017219815.tif 000008
【図７】
2017219815.tif 000009
【図８】
2017219815.tif 000010
【図９】
2017219815.tif 000011
【図１０】
2017219815.tif 000012
【図１１】
2017219815.tif 000013
【図１２】
2017219815.tif 000014
【図１３】
2017219815.tif 000015
【図１４】
2017219815.tif 000016
【図１５】
2017219815.tif 000017
【図１６】
2017219815.tif 000018